(57)【要約】【課題】  多数のマイクロホンを多くの自由度をもって、安定的に配置する。【解決手段】  ベース１００は、円形の平板状に形成されている。ベース１００の周を６等分し、周を分割した位置と中心とを結ぶ線上に、ベース１００の周に沿って、６つの固定穴１０１が設けられる。貫通穴１０２は、２つの固定穴１０１の間に、ベース１００の周に沿って設けられる長穴である。貫通穴１０２は、ベース１００の周の曲率に応じた曲率で、ベース１００の周に沿って曲がる長穴とされる。固定穴１０１および貫通穴１０２は、ベース１００の上面から底面に貫通し、マイクロホンを保持するマイクロホンホルダーに螺合する雄ネジを通す穴である。本発明はマイクロホンを配置するベースに適用できる。【選択図】  図６
2006313966.tif 000002
【特許請求の範囲】
【請求項１】
マイクロホンを配置するための器具であって、
平板状に形成され、
前記マイクロホンを保持するマイクロホンホルダーに螺合する雄ネジを通す穴が周に沿って設けられている
ことを特徴とする器具。
【請求項２】
前記マイクロホンホルダーに螺合する雄ネジを通す前記穴は、長穴である
ことを特徴とする請求項１に記載の器具。
【請求項３】
前記マイクロホンホルダーに螺合する雄ネジを通す前記穴の内周側に、前記マイクロホンのケーブルを通すための穴が設けられている
ことを特徴とする請求項１に記載の器具。
【請求項４】
前記マイクロホンのケーブルを通すための前記穴は、前記マイクロホンホルダーに保持された前記マイクロホン本体との干渉を避ける形状とされている
ことを特徴とする請求項３に記載の器具。
【請求項５】
前記マイクロホンのケーブルを通すための前記穴は、長穴である
ことを特徴とする請求項３に記載の器具。
【請求項６】
前記マイクロホンホルダーに螺合する雄ネジを通す前記穴は、周から中心に向かう長穴とされ、前記マイクロホンのケーブルを通すための前記穴とつながっている
ことを特徴とする請求項３に記載の器具。
【請求項７】
マイクロホンスタンドまたは三脚に螺合する雌ネジが設けられている
ことを特徴とする請求項１に記載の器具。
【請求項８】
前記マイクロホンホルダーに螺合する雄ネジを通す前記穴に、脚が固定されている
ことを特徴とする請求項１に記載の器具。
【請求項９】
前記マイクロホンホルダーに螺合する雄ネジを通す前記穴に、重心位置を調整するためのおもりが固定されている
ことを特徴とする請求項１に記載の器具。
【請求項１０】
円形の平板状に形成されている
ことを特徴とする請求項１に記載の器具。
【請求項１１】
多角形の平板状に形成されている
ことを特徴とする請求項１に記載の器具。
【発明の詳細な説明】
【技術分野】
【０００１】
本発明は器具に関し、特に、マイクロホンを配置するための器具に関する。
【背景技術】
【０００２】
従来のマイクロホンスタンドは、マイクロホンを１本だけ装着できるものが多い。一方、コンサートホールの天井にマイクロホンを配置する器具は、２本のマイクロホンを装着できる。
【０００３】
また、マイクの操着構造において、マイク本体とマイクホルダーとに相対的に凹凸部あるいは、段差を設け、デスクトップ型のマイクロホン、マイクスタンドが付いたマイクロホン、その他様々なマイクロホンの操着に対応すべく常にマイクが最良の設定位置に固定され、かつ、それ以上移動しない構造とし、ホルダーの破損を防止できるようにしているものもある（例えば、特許文献１参照）。
【０００４】
【特許文献１】登録実用新案第３００２３７７号公報
【発明の開示】
【発明が解決しようとする課題】
【０００５】
しかしながら、全周方向の音をとりたい場合には、マイクロホンの本数に応じたマイクロホンスタンドが必要になった。このように設けられた多数のマイクロホンスタンドは、収録時の邪魔になった。このように、１つのマイクロホンスタンドまたは器具で、複数チャンネル録音をするために複数のマイクロホンを配置できず、さらに、これらのマイクロホンを多くの自由度をもって配置できなかった。
【０００６】
また、マイクロホンスタンドに複数のマイクロホンやマイクロホンを接続するためのケーブルを取り付けると、マイクロホンスタンドの先端部分が重くなって重心が高くなり、バランスを取ることが難しくなり、マイクロホンスタンドは、不安定な状態となった。
【０００７】
一方、マイクロホンの配置を低くするために、マイクロホンスタンドを短くしたり、小型の三脚を用いたりした場合には、ケーブルの引き回しなどで、マイクロホンスタンドや三脚のバランスが簡単に崩れてしまい、転倒の危険性があった。特に、多くの場合、小型の三脚の構造は、弱く、小型の三脚を用いると、転倒の危険性がより高まる。
【０００８】
本発明はこのような状況に鑑みてなされたものであり、多数のマイクロホンを多くの自由度をもって、安定的に配置できるようにするものである。
【課題を解決するための手段】
【０００９】
本発明の器具は、マイクロホンを配置するための器具であって、平板状に形成され、マイクロホンを保持するマイクロホンホルダーに螺合する雄ネジを通す穴が周に沿って設けられていることを特徴とする。
【００１０】
マイクロホンホルダーに螺合する雄ネジを通す穴は、長穴とすることができる。
【００１１】
マイクロホンホルダーに螺合する雄ネジを通す穴の内周側に、マイクロホンのケーブルを通すための穴を設けることができる。
【００１２】
マイクロホンのケーブルを通すための穴は、マイクロホンホルダーに保持されたマイクロホン本体との干渉を避ける形状とすることができる。
【００１３】
マイクロホンのケーブルを通すための穴は、長穴とすることができる。
【００１４】
マイクロホンホルダーに螺合する雄ネジを通す穴は、周から中心に向かう長穴とし、マイクロホンのケーブルを通すための穴とつなぐことができる。
【００１５】
マイクロホンスタンドまたは三脚に螺合する雌ネジを設けることができる。
【００１６】
マイクロホンホルダーに螺合する雄ネジを通す穴に、脚を固定することができる。
【００１７】
マイクロホンホルダーに螺合する雄ネジを通す穴に、重心位置を調整するためのおもりを固定することができる。
【００１８】
器具は、円形の平板状に形成することができる。
【００１９】
器具は、多角形の平板状に形成することができる。
【００２０】
本発明の器具においては、平板の周に沿って設けられた穴に、マイクロホンを保持するマイクロホンホルダーに螺合する雄ネジが通される。
【発明の効果】
【００２１】
以上のように、本発明によれば、マイクロホンを配置できる。
【００２２】
また、本発明によれば、多数のマイクロホンを多くの自由度をもって、安定的に配置できる。
【発明を実施するための最良の形態】
【００２３】
図１乃至図５は、本発明の一実施の形態のベースの形状を示す図である。図１は、平面図である。図２は底面図である。図３は正面図である。背面図は正面図と同一なので省略する。図４は、右側面図である。左側面図は右側面図と同一なので省略する。図５は斜視図である。このベースである物品は、マイクロホンを配置する器具またはマイクロホンを固定する台である。他方の側面から言えば、このベースである物品は、マイクロホンホルダーを固定する台である。
【００２４】
図６は、本発明の一実施の形態のベースを示す図である。図６において、上側にベース１００の底面図を示し、下側にベースの正面図を示す。
【００２５】
ベース１００は、アルミニウム、鉄、マグネシウム、若しくはチタニウムなどの金属、ポリプロピレン若しくはポリエチレンなどの樹脂、繊維強化樹脂、または木などにより形成される。ベース１００は、異なる素材を組み合わせた複合材料により形成するようにしてもよい。
【００２６】
ベース１００には、１または複数のマイクロホンが配置されるので、ベース１００は、１または複数のマイクロホンをそれぞれ保持するマイクロホンホルダーを固定できる強度を有するように形成される。
【００２７】
ベース１００は、円形の平板状に形成されている。ベース１００の表面は、黒などの単色とされるか、または木目模様など所定の模様とされる。例えば、床から比較的高い位置で用いる場合、ベース１００の表面をつや消しの黒とすると、ベース１００が目立ちにくくなる。また、ステージ上の低い位置で用いる場合、ベース１００の表面を木目模様とすると、ステージは、通常、木製の板で形成されているので、ベース１００が目立ちにくくなる。
【００２８】
ベース１００の周をｎ（整数）に等分割し、周を分割した位置と中心とを結ぶ線上に、ベース１００の周に沿って、正円形状の固定穴１０１が設けられる。例えば、ベース１００の周を６等分し、周を分割した位置と中心とを結ぶ線上に、ベース１００の周に沿って、６つの固定穴１０１が設けられる。
【００２９】
固定穴１０１は、ベース１００の上面から底面に貫通し、マイクロホンを保持するマイクロホンホルダーに螺合する雄ネジを通す穴である。固定穴１０１は、Ｗ３／８インチの雄ネジを通す形状に形成される。なお、固定穴１０１は、ＪＩＳ・ＢＴＳ（broadcast technical standard）規格のＰＦ１／２、ＮＳ５／８インチ、またはＵ５／１６インチなどの他の規格に準じた雄ネジを通す形状に形成してもよい。
【００３０】
貫通穴１０２は、２つの固定穴１０１の間に、ベース１００の周に沿って設けられる長穴である。貫通穴１０２は、ベース１００の周の曲率に応じた曲率で、ベース１００の周に沿って曲がる長穴とされる。ｎ個の固定穴１０１が設けられている場合、貫通穴１０２は、ｎ個の固定穴１０１のうちの隣り合う２つの固定穴１０１の組の間に、それぞれ設けられる。ｎ個の固定穴１０１が設けられている場合、ｎ個の貫通穴１０２が設けられる。
【００３１】
例えば、６つの固定穴１０１が設けられている場合、貫通穴１０２は、２つの固定穴１０１の組の間に、それぞれ設けられる。すなわち、この場合、６つの貫通穴１０２が設けられることになる。
【００３２】
貫通穴１０２は、ベース１００の上面から底面に貫通し、マイクロホンを保持するマイクロホンホルダーに螺合する雄ネジを通す穴である。貫通穴１０２は、Ｗ３／８インチの雄ネジを通す形状に形成される。なお、固定穴１０１は、ＪＩＳ・ＢＴＳ（broadcast technical standard）規格のＰＦ１／２、ＮＳ５／８インチ、またはＵ５／１６インチなどの他の規格に準じた雄ネジを通す形状に形成してもよい。
【００３３】
ベース１００の周をｎ（整数）に等分割し、周を分割した位置と中心とを結ぶ線上に、固定穴１０１の内周側に、マイクロホンのケーブルを通すためのケーブル通し穴１０３が設けられている。ケーブル通し穴１０３は、ベース１００の上面から底面に貫通し、固定穴１０１に比較して大径とされる。例えば、ケーブル通し穴１０３の直径は、マイクロホンの長さの１／２以上とされる。
【００３４】
ケーブル通し穴１０３を設けることで、ベース１００を肉抜きすることができ、ベース１００の重量をより軽くすることができる。
【００３５】
例えば、６つの固定穴１０１が設けられている場合、それぞれの固定穴１０１の内周側に、それぞれ１つのケーブル通し穴１０３が設けられている。この場合、６つのケーブル通し穴１０３が設けられることになる。
【００３６】
また、ベース１００の底面側の中心には、支え１０４が設けられている。支え１０４には、マイクロホンスタンドまたは三脚に螺合する雌ネジが切られている。例えば、支え１０４に設けられている雌ネジは、Ｗ３／８インチの雄ネジに螺合する雌ネジである。なお、支え１０４に設けられている雌ネジは、ＪＩＳ・ＢＴＳ規格のＰＦ１／２、ＮＳ５／８インチ、またはＵ５／１６インチなどの他の規格に準じた雄ネジに螺合する雌ネジとしてもよい。
【００３７】
図７は、本発明の一実施の他の形態のベースを示す図である。図６に示す場合と同様に部分には同一の符号を付してあり、その説明は省略する。
【００３８】
１つの貫通穴１０２およびその両端の２つの固定穴１０１の内周側に、マイクロホンのケーブルを通すためのケーブル通し穴２０１が設けられている。ケーブル通し穴２０１は、ベース１００の上面から底面に貫通し、貫通穴１０２の曲率に応じた曲率で、１つの貫通穴１０２およびその両端の２つの固定穴１０１に沿って曲がる長穴とされる。
【００３９】
例えば、６つの固定穴１０１が設けられている場合、３つのケーブル通し穴２０１が設けられる。
【００４０】
ケーブル通し穴２０１を設けることで、ベース１００に配置するマイクロホンの姿勢の自由度を増すことができる。
【００４１】
図８は、本発明の一実施のさらに他の形態のベースを示す図である。図６に示す場合と同様に部分には同一の符号を付してあり、その説明は省略する。
【００４２】
ケーブル通し穴３０１は、鍵穴状に形成され、ベース１００の周をｎ（整数）に等分割し、周を分割した位置と中心とを結ぶ線上に設けられる。ケーブル通し穴３０１は、ベース１００の上面から底面に貫通する。
【００４３】
すなわち、ケーブル通し穴３０１のベース１００の周側は、マイクロホンを保持するマイクロホンホルダーに螺合する雄ネジを通す幅で、周を分割した位置と中心とを結ぶ線上を、周から中心に向かう長穴の形状とされる。例えば、ケーブル通し穴３０１のベース１００の周側は、Ｗ３／８インチの雄ネジを通す形状に形成される。ケーブル通し穴３０１のベース１００の中心側は、ケーブル通し穴３０１のベース１００の周側に比較して、大径とされ、マイクロホンのケーブルを通すための部位とされる。
【００４４】
すなわち、ケーブル通し穴３０１は、マイクロホンホルダーに螺合する雄ネジを通す穴であって、周から中心に向かう長穴とされ、マイクロホンのケーブルを通すための穴とつながった形状とされる。
【００４５】
ケーブル通し穴３０１を設けることで、ベース１００に配置するマイクロホンの姿勢の自由度を増すことができる。
【００４６】
図９は、複数のマイクロホンが配置されたベース１００を示す図である。ベース１００の固定穴１０１または貫通穴１０２に、マイクロホン４０１を保持するマイクロホンホルダー４０２に螺合する雄ネジが通されて、この雄ネジとマイクロホンホルダー４０２（の雌ネジ）とが螺合されて、マイクロホンホルダー４０２がベース１００に固定される。
【００４７】
ベース１００の固定穴１０１に、マイクロホン４０１を保持するマイクロホンホルダー４０２に螺合する雄ネジが通されて、この雄ネジとマイクロホンホルダー４０２とが螺合されて、マイクロホンホルダー４０２がベース１００に固定された場合、マイクロホンホルダー４０２は、ベース１００の周の方向に動かすことができないようにベース１００に固定されるので、マイクロホン４０１の上下方向および左右方向の角度の微調整（パンチルトの微調整）が容易になる。
【００４８】
一方、ベース１００の貫通穴１０２に、マイクロホン４０１を保持するマイクロホンホルダー４０２に螺合する雄ネジが通されて、この雄ネジとマイクロホンホルダー４０２とが螺合されて、マイクロホンホルダー４０２がベース１００に固定された場合、マイクロホンホルダー４０２は、貫通穴１０２に沿って、ベース１００の周の方向に動かすことができる。これにより、ベース１００の姿勢を固定したままで、マイクロホン４０１の上下方向および左右方向の角度の調整に加えて、ベース１００の周の方向の、マイクロホン４０１の位置を調整することができる。
【００４９】
このように、ベース１００の姿勢を固定したままで、マイクロホン４０１の位置および姿勢を調整することができるようになり、マイクロホン４０１であらゆる方向からの音をとることができるようになる。
【００５０】
例えば、６つのマイクロホンホルダー４０２が、ベース１００の上面側に固定され、それぞれのマイクロホンホルダー４０２は、マイクロホン４０１を保持する。
【００５１】
また、マイクロホンホルダー４０２は、ベース１００の底面側にも固定できる。この場合、ベース１００の底面側にマイクロホン４０１が保持される。従って、ベース１００の上面側およびベース１００の底面側にマイクロホン４０１を配置することができるので、より多くのマイクロホン４０１を配置できると共に、マイクロホン４０１の向きをより幅広く調整することができる。
【００５２】
マイクロホンホルダー４０２に保持されたマイクロホン４０１のケーブル４０３は、ケーブル通し穴１０３を通される。このようにすることで、全体の重心を、ベース１００の中心により近い位置とすることができる。その結果、多数のマイクロホン４０１を配置しても、より安定させることができる。
【００５３】
カメラ用三脚４０４でベース１００を支える場合、支え１０４の雌ネジには、カメラ用三脚４０４の雄ネジが螺合されて、ベース１００がカメラ用三脚４０４に固定される。また、マイクロホンスタンド４０５でベース１００を支える場合、支え１０４の雌ネジには、マイクロホンスタンド４０５の雄ネジが螺合されて、ベース１００がマイクロホンスタンド４０５に固定される。
【００５４】
規格化されたネジにより、ベース１００がカメラ用三脚４０４またはマイクロホンスタンド４０５に固定されるので、ベース１００とカメラ用三脚４０４またはマイクロホンスタンド４０５との着脱が容易になる。
【００５５】
また、カメラ用三脚４０４でベース１００を支える場合、ベース１００の高さを調整したり、ベース１００を容易にパンおよびチルトしたりすることができるようになる。
【００５６】
図１０で示されるように、１つのベース１００に、より多くのマイクロホン４０１を配置することができる。例えば、図１０で示されるように、１２個のマイクロホンホルダー４０２をベース１００に固定すれば、１２個のマイクロホン４０１を１つのベース１００に配置することができる。
【００５７】
より多くのマイクロホン４０１を配置する場合、ケーブル通し穴２０１を設けたベース１００を用いることで、ケーブル４０３の取り回しが容易になる。
【００５８】
ケーブル通し穴１０３、ケーブル通し穴２０１、およびケーブル通し穴３０１を設けることで、マイクロホン４０１の仰角を大きくした状態で、マイクロホン４０１をベース１００に配置することができる。
【００５９】
これをケーブル通し穴３０１を例に説明する。
【００６０】
図１１は、ケーブル通し穴３０１による、ベース１００とマイクロホン４０１との干渉の防止を説明する図である。
【００６１】
例えば、マイクロホン４０１を下向きから水平に、そして水平から上向きに、マイクロホンホルダー４０２に保持されたマイクロホン４０１の仰角を大きくすると（大きくチルトさせると）、マイクロホン４０１の後端（ケーブル４０３を差し込む部分）が、ベース１００の上面より低い位置になる。ケーブル通し穴３０１を設けないとすると、マイクロホン４０１の後端と、ベース１００の上面とが干渉し、マイクロホン４０１の仰角方向の調整範囲が狭くなってしまう。
【００６２】
しかし、図１１で示されるように、ケーブル通し穴３０１を設けることで、マイクロホン４０１の後端とベース１００の上面との干渉が防止される。その結果、マイクロホン４０１の仰角方向の調整範囲が広くなり、マイクロホン４０１の仰角を大きくした状態で、マイクロホン４０１をベース１００に配置することができる。すなわち、マイクロホン４０１の姿勢の自由度が増加する。
【００６３】
特に、ケーブル通し穴３０１は、ベース１００の周側において、マイクロホンを保持するマイクロホンホルダーに螺合する雄ネジを通す幅で、周から中心に向かう長穴の形状とされ、より大きく開口している部分とつながっているので、マイクロホンホルダー４０２を、大きく開口している部分により近い位置までスライドさせて、大きく開口している部分により近い位置に固定することができる。これにより、さらに、マイクロホン４０１の仰角方向の調整範囲が広くなる。図１１の下側に示すように、ベース１００の上面に対して、マイクロホン４０１の仰角をほぼ垂直にすることができ、ベース１００の上面が水平になるようにベースを配置した場合でも、マイクロホン４０１を真上に向かせたり、真下に向かせたりすることができる。
【００６４】
また、固定穴１０１または貫通穴１０２には、必要に応じて、マイクロホンホルダー４０２以外の物を固定することができる。
【００６５】
例えば、従来、低い位置、すなわち、床からの距離が短い位置に、マイクロホン４０１を配置しようとすると、短いカメラ用三脚４０４または短いマイクロホンスタンド４０５を用いざるを得なかった。ところが、短いカメラ用三脚４０４またはマイクロホンスタンド４０５のほとんどは、構造的に弱く、安定してマイクロホン４０１を配置することはできなかった。
【００６６】
そこで、例えば、図１２で示されるように、３本の脚７０１を固定穴１０１または貫通穴１０２に固定する。例えば、脚７０１は、木製、樹脂、または金属で形成される。例えば、脚７０１の長さは、ベース１００の直径より短くされる。より好ましくは、脚７０１の長さは、ベース１００の半径より短くされる。
【００６７】
脚７０１を貫通穴１０２に固定する場合には、ベース１００に対する脚７０１の位置を自由に調整することができる。
【００６８】
このようにすることで、多数のマイクロホン４０１を配置したベース１００を安定的に、かつ、低い位置に配置することができる。その結果、ローアングルからの音を自在にとることができるようになる。
【００６９】
なお、脚７０１の数は、４本以上であってもよい。脚７０１の数を３本とした場合には、床と脚７０１との間のがたつきを防止することができる。脚７０１の数を４本以上とした場合には、多数のマイクロホン４０１を配置して、総重量が増えたときであっても、ベース１００を安定的に配置することができる。
【００７０】
また、ベース１００の片側に多数のマイクロホン４０１を配置すると、重心位置が偏ってしまい、その状態のベース１００をマイクロホンスタンド４０５に固定すると、倒れやすくなってしまう。
【００７１】
そこで、図１３で示されるように、ベース１００の片側にマイクロホン４０１を配置する場合、マイクロホン４０１の反対側の固定穴１０１または貫通穴１０２におもり７２１を固定する。これによって、全体の重心位置をベース１００の中心に合わせることができ、ベース１００をマイクロホンスタンド４０５に固定しても安定して立たせることができる。
【００７２】
なお、おもり７２１は、専用のものを用いても良いが、脚７０１をおもり７２１として用いるようにしても良い。
【００７３】
さらに、治具を用いて、マイクロホン４０１が配置される位置をベース１００の外側とすることができる。
【００７４】
図１４は、延長治具７４１を示す図である。延長治具７４１は、金属等でＴ字型に形成される。延長治具７４１の幅が広い部分には、固定穴７４２−１乃至固定穴７４２−３が設けられる。例えば、延長治具７４１の幅が広い部分を幅の方向に３分割する位置に、固定穴７４２−１乃至固定穴７４２−３のそれぞれが設けられる。
【００７５】
固定穴７４２−１乃至固定穴７４２−３は、直線上に配置されるか、または、貫通穴１０２の曲率に合わせて配置される。
【００７６】
延長治具７４１の幅が狭い部分の先端部には、固定穴７４３が設けられる。延長治具７４１の幅が狭い部分は、任意の長さとすることができる。
【００７７】
図１５で示されるように、固定穴１０１または貫通穴１０２と、固定穴７４２−１乃至固定穴７４２−３のそれぞれとに雄ネジを通して、この雄ネジに雌ネジを螺合させることにより、延長治具７４１がベース１００に固定される。
【００７８】
例えば、固定穴７４２−１乃至固定穴７４２−３が直線上に配置される場合、固定穴７４２−１乃至固定穴７４２−３のうちの２つと、固定穴１０１または貫通穴１０２とに雄ネジを通して、この雄ネジに雌ネジを螺合させることにより、延長治具７４１がベース１００に固定される。
【００７９】
例えば、固定穴７４２−１乃至固定穴７４２−３が貫通穴１０２の曲率に合わせて配置される場合、固定穴７４２−１乃至固定穴７４２−３の全てに雄ネジを通して、延長治具７４１をベース１００に固定することができる。
【００８０】
このようにベース１００に固定された延長治具７４１の固定穴７４３に、マイクロホン４０１を保持するマイクロホンホルダー４０２に螺合する雄ネジが通されて、この雄ネジとマイクロホンホルダー４０２とが螺合されて、マイクロホンホルダー４０２が延長治具７４１に固定される。
【００８１】
このように、延長治具７４１を用いることで、マイクロホン４０１が配置される位置をベース１００の外側とすることができる。その結果、ベース１００上に配置されたマイクロホン４０１と、延長治具７４１上に配置されたマイクロホン４０１とを任意の距離だけ離すことができる。
【００８２】
さらに、図１６で示されるように、複数のベース１００を、脚７０１で多段構造に結合し、それぞれのベース１００にマイクロホン４０１を配置することで、マイクロホン４０１を上下に配置することができるようになり、マイクロホン４０１の配置の自由度を増すことができる。この場合、脚７０１は、複数のベース１００を結合させる支柱の役割を果たす。
【００８３】
なお、この場合、脚７０１は、ベース１００の周に沿ってずらすことができる。
【００８４】
ベースは、円形の平板状であると説明したが、これに限らず、３角形または４角形など、任意の角数の多角形の平板状に形成するようにしてもよい。
【００８５】
図１７は、本発明の一実施のさらに他の形態のベースを示す図である。ベース８０１は、６角形の平板状に形成されている。図６に示す場合と同様に部分には同一の符号を付してあり、その説明は省略する。
【００８６】
図１７で示される例において、貫通穴１０２は、それぞれ、１つの辺に沿うように、ベース１００の周に沿って設けられる。ケーブル通し穴８０２は、ベース１００の上面から底面に貫通する。例えば、ケーブル通し穴８０２は、それぞれ、６角形のそれぞれの頂点と中心とを結ぶ線および辺からなる３角形の内側に位置する略３角形とされる。
【００８７】
ケーブル通し穴８０２を設けることで、ベース８０１を肉抜きすることができ、ベース８０１の重量をより軽くすることができ、マイクロホン４０１の配置の自由度を上げることができる。
【００８８】
このように、１つのベースに、複数のマイクロホンを配置することができる。従来は、複数のマイクロホンを用いる場合は、その数に応じた本数のマイクロホンスタンドが必要とされた。しかし、本発明のベースを用いることにより、より少ない数のマイクロホンスタンドで、多数のマイクロホンを配置することができる。
【００８９】
また、肉抜きにより軽量に形成することができるので、持ち運びに便利である。
【００９０】
このベースを用いることにより、マイクロホンの姿勢や位置を自由に決めることができる。具体的には、高い位置または低い位置にマイクロホンを配置できるようになるだけでなく、マイクロホンの上下左右の角度（パン、チルトの調整）およびマイクロホンの相互間の距離を自由に決めることができるようになる。
【００９１】
すなわち、多くの自由度をもって、マイクロホンを配置することができる。
【００９２】
１つの方向からの音を複数のマイクロホンを向けてとる場合など、片側にマイクロホンを集中的に配置するような場合でも、重心位置を調整することができるので、安定的に、マイクロホンを配置することができる。
【００９３】
以上のように、平板状に形成され、マイクロホンを保持するマイクロホンホルダーに螺合する雄ネジを通す穴が周に沿って設けられているので、多数のマイクロホンを多くの自由度をもって、安定的に配置することができるようになる。
【００９４】
なお、マイクロホンに限らず、ビデオカメラまたはデジタルスチルカメラなどの他の機器を配置するようにしてもよい。
【図面の簡単な説明】
【００９５】
【図１】平面図である。
【図２】底面図である。
【図３】正面図である。
【図４】右側面図である。
【図５】斜視図である。
【図６】本発明の一実施の形態のベースを示す図である。
【図７】本発明の一実施の他の形態のベースを示す図である。
【図８】本発明の一実施のさらに他の形態のベースを示す図である。
【図９】複数のマイクロホンが配置されたベースを示す図である。
【図１０】より多くのマイクロホンが配置されたベースを示す図である。
【図１１】ケーブル通し穴による、ベースとマイクロホンとの干渉の防止を説明する図である。
【図１２】脚を固定したベースを示す図である。
【図１３】おもりを固定したベースを示す図である。
【図１４】延長治具を示す図である。
【図１５】延長治具を固定したベースを示す図である。
【図１６】多段構造に結合したベースを示す図である。
【図１７】本発明の一実施のさらに他の形態のベースを示す図である。
【符号の説明】
【００９６】
１００  ベース，  １０１  固定穴，  １０２  貫通穴，  １０３  ケーブル通し穴，  １０４  支え，  ２０１  ケーブル通し穴，  ３０１  ケーブル通し穴，  ７０１  脚，  ７２１  おもり，  ７４１  延長治具，  ８０１  ベース，  ８０２  ケーブル通し穴
【図１】
2006313966.tif 000003
【図２】
2006313966.tif 000004
【図３】
2006313966.tif 000005
【図４】
2006313966.tif 000006
【図５】
2006313966.tif 000007
【図６】
2006313966.tif 000008
【図７】
2006313966.tif 000009
【図８】
2006313966.tif 000010
【図９】
2006313966.tif 000011
【図１０】
2006313966.tif 000012
【図１１】
2006313966.tif 000013
【図１２】
2006313966.tif 000014
【図１３】
2006313966.tif 000015
【図１４】
2006313966.tif 000016
【図１５】
2006313966.tif 000017
【図１６】
2006313966.tif 000018
【図１７】
2006313966.tif 000019